(57)【要約】【課題】複数の電源ユニットを備えるシステムにおいて、一部の電源ユニットが故障しても、システムの性能を可能な限り高い状態に維持する。【解決手段】電源装置が備える電源ユニット２０の各々は、入力電圧を一定の電圧範囲の出力電圧に変換する電圧変換回路２１と、前記電圧変換回路２１が変換した電圧に応じた電荷を蓄積するとともに、供給電源を出力する出力コンデンサ２２と、前記出力コンデンサ２２の過負荷を検出するとともに、前記過負荷を検出した場合に、前記電源装置から供給される供給電源を用いて動作する装置３に対して、消費電力の抑制を要求する過負荷信号を通知する過負荷検出回路２３と、を有する。【選択図】図２
2014029578.tif 000002
【特許請求の範囲】
【請求項１】
電源を供給する電源ユニットを複数備えた電源装置であって、
前記電源ユニットの各々は、
入力電圧を一定の電圧範囲の出力電圧に変換する電圧変換回路と、
前記電圧変換回路が変換した電圧に応じた電荷を蓄積するとともに、供給電源を出力する出力コンデンサと、
前記出力コンデンサの過負荷を検出するとともに、前記過負荷を検出した場合に、前記電源装置から供給される供給電源を用いて動作する装置に対して、消費電力の抑制を要求する過負荷信号を通知する過負荷検出回路と、
を有することを特徴とする、電源装置。
【請求項２】
前記過負荷検出回路は、前記装置からの出力電流が所定の閾値を超えた場合に、前記過負荷を検出するとともに、前記装置に対して過負荷信号を通知することを特徴とする、請求項１記載の電源装置。
【請求項３】
前記過負荷検出回路は、
前記所定の閾値を示す基準電圧を出力する電圧源と、
前記装置からの出力電流に応じた電圧を発生させる抵抗と、
前記基準電圧と前記抵抗により発生した電圧とを入力され、前記抵抗により発生した電圧が前記基準電圧を超えると、前記過負荷信号を出力する比較回路と、
を有することを特徴とする、請求項２記載の電源装置。
【請求項４】
前記過負荷検出回路により前記過負荷が検出され、前記装置に対して前記過負荷信号が通知された後、前記装置において前記消費電力の抑制が行なわれる所定期間中において、前記電圧変換回路が変換した電圧に応じた電荷を前記出力コンデンサに蓄積する時間は、前記供給電源を出力する時間よりも長いことを特徴とする、請求項１〜３のいずれか１項記載の電源装置。
【請求項５】
電源を供給する電源ユニットを複数備えた電源装置から供給される供給電源を用いて動作する処理部と、
前記複数の電源ユニットのうちの少なくとも１つの電源ユニットから、前記電源ユニットの過負荷を示す過負荷信号を通知されると、所定期間の計時を行なうタイマ回路と、
前記過負荷信号を通知されてから前記タイマ回路が満了するまでの間、前記処理部に対して、消費電力の抑制を指示する電力低下信号を送出する電力低下信号送出部と、
を有することを特徴とする、処理装置。
【請求項６】
前記所定期間は、前記電源ユニットが有するコンデンサであって、入力される電圧に応じた電荷を蓄積するとともに前記電源ユニットからの供給電源を出力する出力コンデンサの特性に応じて決定されることを特徴とする、請求項５記載の処理装置。
【請求項７】
前記処理部は、前記電力低下信号が入力される間、消費電力を抑制することを特徴とする、請求項５又は請求項６記載の処理装置。
【請求項８】
前記電力低下信号は、前記処理部に対して、一つの前記電源ユニットから供給される供給電力分の消費電力の抑制を指示する信号であることを特徴とする、請求項５〜７のいずれか１項記載の処理装置。
【請求項９】
電源を供給する電源ユニットを複数備えた電源装置と、前記電源装置から供給される供給電源を用いて動作する処理装置と、を有する情報処理システムであって、
前記電源ユニットの各々は、
入力電圧を一定の電圧範囲の出力電圧に変換する電圧変換回路と、
前記電圧変換回路が変換した電圧に応じた電荷を蓄積するとともに、供給電源を出力する出力コンデンサと、
前記出力コンデンサの過負荷を検出するとともに、前記過負荷を検出した場合に、前記処理装置に対して、消費電力の抑制を要求する過負荷信号を通知する過負荷検出回路と、を有し、
前記処理装置は、
前記電源装置から供給される供給電源を用いて動作する処理部と、
前記複数の電源ユニットのうちの少なくとも１つの電源ユニットから、前記過負荷信号を通知されると、所定期間の計時を行なうタイマ回路と、
前記過負荷信号を通知されてから前記タイマ回路が満了するまでの間、前記処理部に対して、消費電力の抑制を指示する電力低下信号を送出する電力低下信号送出部と、
を有することを特徴とする、情報処理システム。
【請求項１０】
電源を供給する電源ユニットを複数備えた電源装置と、前記電源装置から供給される供給電源を用いて動作する処理装置と、を有する情報処理システムにおける電源制御方法であって、
前記電源ユニットの各々は、
入力電圧を一定の電圧範囲の出力電圧に変換し、
出力コンデンサにより、前記出力電圧に応じた電荷を蓄積するとともに、供給電源を出力し、
前記出力コンデンサの過負荷を検出するとともに、前記過負荷を検出した場合に、前記処理装置に対して、消費電力の抑制を要求する過負荷信号を通知し、
前記処理装置は、
前記複数の電源ユニットのうちの少なくとも１つの電源ユニットから、前記過負荷信号を通知されると、所定期間の計時を行ない、
前記過負荷信号を通知されてから前記所定期間の計時が満了するまでの間、前記電源装置から供給される供給電源を用いて動作する処理部に対して、消費電力の抑制を指示する電力低下信号を送出する、
ことを特徴とする、電源制御方法。
【発明の詳細な説明】
【技術分野】
【０００１】
本発明は、電源装置、処理装置、情報処理システム、及び電源制御方法に関する。
【背景技術】
【０００２】
複数の電源ユニットを備える情報処理システムは、システムの設計上要求されるＮ（Ｎは２以上の整数）台の電源ユニットにより動作する場合、電源ユニットが１台でも故障すると、システムが電力不足となり、システムダウンする可能性がある。そこで、従来、システムダウンを回避するため、電源ユニットをＮ＋１台の冗長構成とする運用が行なわれる場合がある。
【０００３】
また、Ｎ台の電源ユニットを備える情報処理システムにおいて、１台の電源ユニットが故障した場合でもシステムを継続稼働させるため、故障した電源ユニットの故障信号を利用してパワーセービングを実行する技術も知られている（例えば、特許文献１又は特許文献２参照）。
図６は、情報処理システム１００における電源制御処理の一例を説明する図である。図６に示すように、情報処理システム１００は、複数、例えば２つの電源ユニット２００−１及び２００−２（以下、電源ユニット２００−１及び２００−２を区別しない場合には、単に電源ユニット２００という）と負荷ユニット３００とを有する。
【０００４】
各電源ユニット２００は、それぞれ電圧変換回路２１０、出力コンデンサ２２０、故障信号送出回路２４０、及び異常検出回路２４１を有する。
電圧変換回路２１０は、ＡＣ（Ｌ）及びＡＣ（Ｎ）からのＡＣ２００Ｖの入力電圧を一定の出力電圧（ＤＣ＋１２Ｖの直流電圧）に変換し、電力線１１０及び１２０を介して、負荷ユニット３００へ電力を供給する。出力コンデンサ２２０は、電圧変換回路２１０が変換した出力電圧を安定化して出力する。異常検出回路２４１は、電源ユニット２００の異常（例えば出力電圧の異常や温度の異常）を検出する。故障信号送出回路２４０は、異常検出回路２４１により電源ユニット２００の異常が検出されると、制御線１３０−１、１３０−２、１４０−１、又は１４０−２を介して、負荷ユニット３００等へ故障信号を送出する。
【０００５】
負荷ユニット３００は、電源ユニット２００から供給される供給電源を用いて動作するものであり、電力低下信号送出回路３１０と、ＣＰＵ（Central Processing Unit）、メモリ、及びＩＯ（Input Output）装置等を備える処理部３２０とを有する。電力低下信号送出回路３１０は、電源ユニット２００から故障信号を受信すると、制御線１５０を介して、処理部３２０に対して、消費する電力の低下を指令する。処理部３２０は、電力低下指令を受けると、パワーセービングを実行する。
【０００６】
以下、図６を用いて具体例を説明する。一例として、システム（負荷ユニット３００）の負荷電流は、システムの負荷が最大のとき１４０Ａであり、電源ユニット２００−１及び２００−２は、正常に動作している場合それぞれ７０Ａの出力電流を出力する。
図６において、例えば電源ユニット２００−２が故障すると、電源ユニット２００−２の出力電流は７０Ａから０Ａとなり（図６中（ｉ）参照）、電源ユニット２００−２は、故障信号を負荷ユニット３００へ送出する（図６中（ii）参照）。負荷ユニット３００の電力低下信号送出回路３１０は、電源ユニット２００−２から故障信号を受け、処理部３２０へ電力低下を指令する（図６中（iii）参照）。処理部３２０は、電力低下指令を受けて例えば動作周波数を低下させ（図６中（iv）参照）、システムの負荷電流を電源ユニット２００−１の供給電流７０Ａに抑える（図６中（ｖ）参照）。これにより、電源ユニット２００−２が故障しても、システムは電源ユニット２００−１の供給電流７０Ａで動作できるため電力不足とならず、システムを継続稼働させることができる。また、電源ユニット２００−２の故障に伴い、電源ユニット２００−１の出力電流は７０Ａから１４０Ａに増えようとするが、負荷ユニット３００の負荷電流が７０Ａに低下するため、電源ユニット２００−１は７０Ａを継続して出力すれば良い（図６中（vi）参照）。
【先行技術文献】
【特許文献】
【０００７】
【特許文献１】特開平１１−３３８５５５号公報
【特許文献２】特開平１１−１８２９５号公報
【特許文献３】特開２００１−３５２７５０号公報
【特許文献４】特開平５−１８１４３０号公報
【発明の概要】
【発明が解決しようとする課題】
【０００８】
上述のように、電源ユニットをＮ＋１台の冗長構成とする情報処理システムは、必要な台数（Ｎ台）以上の電源ユニットを備えることになり、コストが増加することになる。
また、図６に示す例では、２台（Ｎ台）の電源ユニットを備える情報処理システム１００は、電源ユニット２００からの故障信号を利用して、負荷ユニット３００において画一的にパワーセービングを実行する。このため、例えばＩＯの空きスロットが多くシステムの負荷電力が極端に少ない状態等、電源ユニット１台（Ｎ−１台）の供給電力でシステムを稼働できる状態であっても、システムにより１台の電源ユニット２００−２の故障を検出すると、処理部３２０において不必要なパワーセービングが実行されることになる。また、このパワーセービングは、故障した電源ユニット２００−２が正常な電源ユニット２００と交換されるまで継続されるため、システムのパフォーマンス（性能）が低下し続けることになる。
【０００９】
一つの側面で、本件は、複数の電源ユニットを備えるシステムにおいて、一部の電源ユニットが故障しても、システムの性能を可能な限り高い状態に維持することを目的とする。
なお、前記目的に限らず、後述する発明を実施するための最良の形態に示す各構成により導かれる作用効果であって、従来の技術によっては得られない作用効果を奏することも本件の他の目的の一つとして位置付けることができる。
【課題を解決するための手段】
【００１０】
本件の電源装置は、電源を供給する電源ユニットを複数備えた電源装置であって、前記電源ユニットの各々は、入力電圧を一定の電圧範囲の出力電圧に変換する電圧変換回路と、前記電圧変換回路が変換した電圧に応じた電荷を蓄積するとともに、供給電源を出力する出力コンデンサと、前記出力コンデンサの過負荷を検出するとともに、前記過負荷を検出した場合に、前記電源装置から供給される供給電源を用いて動作する装置に対して、消費電力の抑制を要求する過負荷信号を通知する過負荷検出回路と、を有する。
【００１１】
また、本件の処理装置は、電源を供給する電源ユニットを複数備えた電源装置から供給される供給電源を用いて動作する処理部と、前記複数の電源ユニットのうちの少なくとも１つの電源ユニットから、前記電源ユニットの過負荷を示す過負荷信号を通知されると、所定期間の計時を行なうタイマ回路と、前記過負荷信号を通知されてから前記タイマ回路が満了するまでの間、前記処理部に対して、消費電力の抑制を指示する電力低下信号を送出する電力低下信号送出部と、を有する。
【発明の効果】
【００１２】
一実施形態によれば、複数の電源ユニットを備えるシステムにおいて、一部の電源ユニットが故障しても、システムの性能を可能な限り高い状態に維持することができる。
【図面の簡単な説明】
【００１３】
【図１】一実施形態に係る情報処理システムの構成例を示すブロック図である。
【図２】図１に示す情報処理システムの詳細な構成例を示すブロック図である。
【図３】図２に示す情報処理システムの動作例を説明するフローチャートである。
【図４】図２に示す情報処理システムにおける電源制御処理の一例を説明する図である。
【図５】図４に示す情報処理システムにおける電源制御処理の一例を説明するタイムチャートである。
【図６】情報処理システムにおける電源制御処理の一例を説明する図である。
【発明を実施するための形態】
【００１４】
以下、図面を参照して実施の形態を説明する。
〔１〕一実施形態
〔１−１〕情報処理システムの説明
図１は、一実施形態に係る情報処理システム１の構成例を示すブロック図であり、図２は、図１に示す情報処理システム１の詳細な構成例を示すブロック図である。
【００１５】
図１に示すように、情報処理システム１は、電源を供給する電源ユニット２０−１〜２０−Ｎを複数（例えばＮ台）備えた電源装置２と、電源装置２から供給される供給電源を用いて動作する負荷ユニット３と、を有する。
電源ユニット２０−１〜２０−Ｎ（Ｎは２以上の整数；以下、電源ユニット２０−１〜２０−Ｎを区別しない場合には、単に電源ユニット２０という）は、それぞれ電力線１０（後述する電力線１１及び１２）を介して負荷ユニット３に対して電源を供給する。以下、図２を参照して電源ユニット２０及び負荷ユニット３の詳細な構成を説明する。なお、図２では、システムの設計上要求される電源ユニット２０の台数Ｎが２である場合を示す。また、各電源ユニット２０は、互いに同様の構成を有しているが、図２では、図の簡略化のため、電源ユニット２０−２の構成の図示を省略している。
【００１６】
電源ユニット２０は、電圧変換回路２１、出力コンデンサ２２、過負荷検出回路２３、及び故障検出回路２４を有する。
電圧変換回路２１は、入力電圧を一定の電圧範囲の出力電圧に変換する。電圧変換回路２１により変換された出力電圧は、出力コンデンサ２２を通じて、電力線１１及び１２を介して負荷ユニット３に対して供給される。図２に示す例では、電圧変換回路２１は、ＡＣ（Ｌ）及びＡＣ（Ｎ）の端子から入力される交流電圧を、一定の電圧範囲の直流電圧に変換して、ＤＣ（Ｈ）及びＤＣ（Ｌ）の端子から出力する。
【００１７】
なお、電圧変換回路２１から出力される出力電流には、電源ユニット＃０から出力される出力電流分のバイアス（直流成分）と脈流成分とが含まれる。
出力コンデンサ２２は、電圧変換回路２１により変換された出力電圧を安定化する。また、出力コンデンサ２２は、電圧変換回路２１が変換した電圧に応じた電荷を蓄積するとともに、負荷ユニット３への供給電源を出力する。
【００１８】
具体的には、出力コンデンサ２２は、電発変換回路２１からの出力電流に含まれる脈流成分を充放電により平滑化し、バイアスとしての出力電流を電源ユニット＃０から出力する。また、出力コンデンサ２２は、電源ユニット２０が過負荷となった場合、負荷ユニット３に対して過負荷電流を供給する。なお、過負荷電流は、電源ユニット２０の過負荷に対する応答速度が遅い電圧変換回路２１によっては供給することができない。そこで、本実施形態に係る出力コンデンサ２２は、負荷ユニット３に対する過負荷電流を内部に蓄えた電荷によって供給する。なお、図２に示す例では、出力コンデンサ２２は、電圧変換回路２１のＤＣ（Ｈ）及びＤＣ（Ｌ）の端子間に並列に接続される。
【００１９】
過負荷検出回路２３は、出力コンデンサ２２の過負荷を検出する。また、過負荷検出回路２３は、過負荷を検出した場合に、負荷ユニット３に対して、電源ユニット２０の過負荷を示す信号であって消費電力の抑制を要求する過負荷信号を通知する。
具体的には、過負荷検出回路２３は、電源ユニット２０からの出力電流が予め設定された過負荷検出閾値（所定の閾値）を越えると、過負荷を検出する。そして、過負荷検出回路２３は、負荷ユニット３におけるパワーセービングのトリガとなる過負荷信号（過負荷検出信号）を、即座に負荷ユニット３へ通知する。なお、過負荷検出回路２３は、電源ユニット２０からの出力電流の測定に、例えば電力線１２を介して負荷ユニット３から入力される出力電流Ｉを用いることができる。以下、過負荷検出回路２３は、図２に示すように、負荷ユニット３からの出力電流Ｉに基づいて、電源ユニット２０の過負荷を検出するものとして説明する。
【００２０】
過負荷検出回路２３が過負荷を検出する場合としては、例えば複数の電源ユニット２０のうちの少なくとも１台の電源ユニット２０が故障したこと等により、残りの電源ユニット２０が負担する出力電流が増加した場合が挙げられる。なお、複数の電源ユニット２０が互いに同様の性能（電源の供給能力等）を有する場合、これらの電源ユニット２０の過負荷検出回路２３は、それぞれが過負荷を検出し、過負荷信号を送出する。
【００２１】
過負荷信号は、電源ユニット２０（過負荷検出回路２３）が過負荷を検出したときにのみ送出される。従って、電源ユニット２０が１台だけ故障しても、残りの正常な電源ユニット２０の過負荷検出回路２３が過負荷を検出しなければ、過負荷信号は送出されないため、負荷ユニット３におけるパワーセービングを抑止することができる。
また、過負荷検出回路２３は、過負荷を検出している状態で、過負荷を検出しなくなると、過負荷信号の通知を抑止する。
【００２２】
過負荷検出回路２３は、図２に示すように、基準電圧源２３ａ、出力電流検出抵抗２３ｂ、及び比較回路２３ｃを有する。
基準電圧源（電圧源）２３ａは、過負荷検出閾値を示す基準電圧Ｖｒｅｆを出力する電圧源である。基準電圧源２３ａとしては、電圧変換回路２１又は他の電源から定電圧を出力する定電圧回路等の定電圧を発生する回路を用いることができる。
【００２３】
出力電流検出抵抗（抵抗）２３ｂは、抵抗値Ｒを持ち、負荷ユニット３からの出力電流Ｉに応じた電圧Ｖｉ＝Ｉ×Ｒを発生させる抵抗素子である。
比較回路２３ｃは、基準電圧源２３ａからの基準電圧Ｖｒｅｆと、出力電流検出抵抗２３ｂにより発生した電圧Ｖｉとを入力される。そして、比較回路２３ｃは、電源ユニット２０からの出力電流（負荷ユニット３からの出力電流Ｉ）と出力電流検出抵抗２３ｂの抵抗値Ｒとによって生じる電圧Ｖｉが基準電圧Ｖｒｅｆを超えると、内部比較器が過負荷信号を送出する。なお、比較回路２３ｃとしては、オペアンプやコンパレータ等の比較器を用いることができる。
【００２４】
故障検出回路２４は、電源ユニット２０の故障が検出されると、故障が発生したことを示す故障信号を送出するものであり、故障信号送出回路２４ａ、出力過電圧検出回路２４ｂ、出力低電圧検出回路２４ｃ、及び過熱検出回路２４ｄを有する。
出力過電圧検出回路２４ｂは、電力線１１における電圧が、電源ユニット２０からの出力電圧の目標電圧又は目標電圧よりも高く設定された過電圧検出閾値よりも高い場合に、出力過電圧を検出し、出力過電圧信号を故障信号送出回路２４ａへ出力する。また、出力低電圧検出回路２４ｃは、電力線１１における電圧が、目標電圧又は目標電圧よりも低く設定された低電圧検出閾値よりも低い場合に、出力低電圧を検出し、出力低電圧信号を故障信号送出回路２４ａへ出力する。
【００２５】
過熱検出回路２４ｄは、電源ユニット２０内部に設けられた図示しない温度センサ等が、過熱検出閾値よりも高い場合に、電源ユニット２０の過熱を検出し、過熱信号を故障信号送出回路２４ａへ出力する。
故障信号送出回路２４ａは、出力過電圧検出回路２４ｂ、出力低電圧検出回路２４ｃ、及び過熱検出回路２４ｄの少なくとも１つから電源ユニット２０の異常を示す上記信号を受信すると、制御線１４−１又は１４−２を介して、負荷ユニット３や情報処理システム１の監視装置等へ故障信号を送出する。なお、故障信号が通知された負荷ユニット３や監視装置等により、情報処理システム１の管理者等へ故障を知らせる通知（図示しないモニタ等の出力装置への表示等）が行なわれても良い。
【００２６】
負荷ユニット（装置，処理装置）３は、情報処理システム１における負荷であり、電力制御回路３１及び処理部３２を有する。
処理部３２は、電源装置２から供給される供給電源を用いて動作するものであり、例えば情報処理システム１における種々の処理を実行するプロセッサとして機能する。処理部３２としては、ＣＰＵ、ＣＰＵが実行するプログラムを展開するメモリ、及びプログラムやデータ等を保持するディスク装置を含むＩＯ装置等が挙げられる。なお、処理部３２には、例えばＵＳＢ（Universal Serial Bus）バスパワーのＩＯ装置等のように、物理的に負荷ユニット３に搭載されていなくても、処理部３２を介して、電源装置２から供給される供給電力を用いて動作する装置も含まれる。
【００２７】
電力制御回路３１は、処理部３２によるパワーセービングの実行を制御する回路であり、電源ユニット２０（過負荷検出回路２３）から過負荷信号を受信すると、処理部３２に対して、消費する電力の低下を指令する。電力制御回路３１は、タイマ回路３１ａ及び電力低下信号送出回路３１ｂを有する。
タイマ回路３１ａは、複数の電源ユニット２０のうちの少なくとも１台の電源ユニット２０から、過負荷信号を通知されると、所定期間の計時を行なう回路である。
【００２８】
なお、所定期間は、出力コンデンサ２２の特性に応じて予め決定される。例えば、所定期間は、出力コンデンサ２２が過負荷電流として放電した電荷をチャージする時間を確保するための期間であることが好ましい。この場合、タイマ回路３１ａには、出力コンデンサ２２の容量と電力制御回路３１の出力電圧とに基づいて、計時を行なう所定期間が設定される。
【００２９】
電力低下信号送出回路３１ｂは、過負荷信号を通知されてからタイマ回路３１ａが満了するまでの間、処理部３２に対して、消費電力の抑制（パワーセービング）を指示する電力低下指令（電力低下信号）を送出する。なお、電力低下信号は、一例として、処理部３２に対して、１台の電源ユニット２０から供給される供給電力分の消費電力の抑制を指示する信号である。
【００３０】
具体的には、電力低下信号送出回路３１ｂは、電源ユニット２０から過負荷信号を受信すると、制御線１５を介して、処理部３２へ電源ユニット１台分の電力低下を指令する。この電力低下指令（電力低下信号）は、電力低下信号送出回路３１ｂにより、電源ユニット２０から過負荷信号を受信してからタイマ回路３１ａによる計時が満了するまで、一定時間（所定期間）継続して送出される。
【００３１】
なお、電源装置２が３台以上の電源ユニット２０を備える場合であって、１台の電源ユニット２０が故障して残りの複数の電源ユニット２０から過負荷信号が通知された場合、電力制御回路３１は、以下のように動作する。すなわち、タイマ回路３１ａは、最初に過負荷信号を通知されたときに所定期間の計時を開始し、電力低下信号送出回路３１ｂは、最初に過負荷信号を通知されてからタイマ回路３１ａが満了するまでの間、処理部３２に対して電力低下信号を送出する。
【００３２】
処理部３２は、電力低下信号送出回路３１ｂから電力低下信号が入力される間、消費電力を抑制する（パワーセービングを実行する）。なお、パワーセービングは、情報処理システム１の負荷電力を電源装置２（稼働している全電源ユニット２０）から供給される供給電力以下に抑えることをいう。処理部３２によるパワーセービングの一例としては、ＣＰＵの動作周波数の低下、非アクティブなＩＯ装置への供給電力の停止又は低下等が挙げられる。
【００３３】
なお、処理部３２によるパワーセービングによって、実際に負荷電流が低下するまでにタイムラグが発生する。従って、タイマ回路３１ａが計時する所定期間には、電力低下信号が送出されてから処理部３２における負荷電流が低下するまでのタイムラグを含んだ余裕を持たせることが好ましい。
処理部３２は、一部の電源ユニット２０が故障して、残りの電源ユニット２０が過負荷を検出した場合、パワーセービングにおいて、１台の電源ユニット２０から供給される供給電力分の消費電力の抑制を行なう。つまり、処理部３２は、パワーセービングにおいて、消費電力を、残りの電源ユニットＮ−１台分が供給する供給電力まで下げる。これにより、１台の電源ユニット２０が故障した場合でも、処理部３２は、パワーセービングにより、残りの電源ユニット２０から供給される供給電源で動作することができる。
【００３４】
なお、処理部３２は、故障が発生した電源ユニット２０の故障検出回路２４から故障信号を受信して、故障した電源ユニット２０の台数又は故障した電源ユニット２０の電源の供給能力等をメモリ等に保持しても良い。これにより、処理部３２は、故障信号を通知した電源ユニット２０の情報に基づいて、パワーセービングにおいて抑制する消費電力を決定することができる。例えば電源ユニット２０が２台以上故障した場合、処理部３２は、パワーセービングにおいて、故障した２台以上の電源ユニット２０から供給される供給電力分の消費電力の抑制を行なうこととしても良い。つまり、処理部３２は、パワーセービングにおいて、消費電力を、残りのＮ−２台以下の電源ユニット２０が供給する供給電力まで下げることとしても良い。
【００３５】
このように、電源装置２では、１台の電源ユニット２０が故障しても、残りの電源ユニット２０により負荷ユニット３で消費される電力を供給できる場合、残りの電源ユニット２０（過負荷検出回路２３）は、過負荷を検出しない。また、電力制御回路３１は、処理部３２によるパワーセービングの実行を指示するトリガを過負荷信号としているため、残りの電源ユニット２０からの過負荷信号を受信しない場合、電力低下信号も出力せず、処理部３２は、パワーセービングを実行しない。
【００３６】
従って、本実施形態に係る情報処理システム１によれば、一部の電源ユニット２０が故障しても、残りの電源ユニット２０が過負荷を検出しなければ、システムはパワーセービングを実行せず、システムの性能（パフォーマンス）を可能な限り高い状態に維持することができる。
ところで、上述のように、電源ユニット２０は、過負荷が検出されると、出力コンデンサ２２に蓄積された電荷を過負荷電流として放電する。従って、過負荷が継続して検出されてしまうと、出力コンデンサ２２の電荷が減少して過負荷電流が不足し、電源ユニット２０は、出力電圧を低下させてしまう。この状態に陥ると、電源ユニット２０は一定の電圧範囲の出力電圧を負荷ユニット３へ供給することができず、システムダウンとなる可能性がある。
【００３７】
これに対して、本実施形態に係る電力制御回路３１は、電源ユニット２０から過負荷信号を受信した場合に、処理部３２に対してパワーセービングを指示する。従って、電力制御回路３１により、電源ユニット２０に連続した過負荷を発生させないようにすることができ、システムダウンとなる可能性を低下させることができる。
なお、電力低下信号が停止した後（つまりタイマ回路３１ａの計時が満了した後）、処理部３２では、パワーセービングが解除され、パワーセービングが実行される前と同様に負荷電流が増加することが予想される。
【００３８】
そこで、本実施形態に係る電力制御回路３１によれば、電力低下信号を送信する所定期間において、出力コンデンサ２２から放電された電荷を、出力コンデンサ２２にチャージさせる時間が確保される。従って、電源ユニット２０は、所定期間行なわれる処理部３２のパワーセービングの間に、予想される次の過負荷に備えて、出力コンデンサ２２を充電することができる。これにより、電源ユニット２０は、パワーセービング後に過負荷が検出された場合でも、出力コンデンサ２２からの過負荷電流が不足して、出力電圧を低下させることがなく、システムダウンの可能性を低下させることができる。
【００３９】
このように、本実施形態に係る情報処理システム１によれば、一部の電源ユニット２０が故障して、残りの電源ユニット２０が過負荷を検出した場合、負荷ユニット３の消費電力を、残りの電源ユニットＮ−１台分が供給する供給電力まで下げる（パワーセービングを実行する）ため、システムを継続稼働させることができる。また、出力コンデンサ２２を充電させる時間を確保した所定期間だけパワーセービングが実行されるため、システムダウンの可能性を低下させてシステムを継続稼働させつつ、システムの性能を可能な限り高い状態に維持することができる。
【００４０】
〔１−２〕情報処理システムの動作例
次に、上述の如く構成された情報処理システム１の動作例を、図３〜図５を参照して説明する。
〔１−２−１〕全体の動作例
はじめに、図３を参照して、情報処理システム１の全体の動作例を説明する。図３は、図２に示す情報処理システム１の動作例を説明するフローチャートである。
【００４１】
図３に示すように、各電源ユニット２０の過負荷検出回路２３により、負荷ユニット３へ供給電源を供給する出力コンデンサ２２の過負荷が検出されるまで、負荷ユニット３からの出力電流Ｉに基づいて判定が行なわれる（ステップＳ１，ステップＳ１のＮｏルート）。過負荷が検出されると（ステップＳ１のＹｅｓルート）、電源ユニット２０では、負荷ユニット３への過負荷電流分が、出力コンデンサ２２から電力線１１を介して供給される（ステップＳ２）。また、過負荷検出回路２３により、制御線１３−１又は１３−２を介して負荷ユニット３へ過負荷信号が送出される（ステップＳ３）。
【００４２】
次いで、電力制御回路３１により過負荷信号が受信されると、電力低下信号送出回路３１ｂにより、処理部３２へ電力低下指令（電圧低下信号）が出力されるとともに（ステップＳ４）、タイマ回路３１ａにより、電力低下指令タイマ（所定期間の計時）がスタートされる（ステップＳ５）。このとき、電力低下指令を受信した処理部３２により、パワーセービングが実行される。
【００４３】
電源ユニット２０では、過負荷検出回路２３により、過負荷が解消され、過負荷信号の送出が解除されるまで判定が行なわれ（ステップＳ６，ステップＳ６のＮｏルート）、過負荷信号の送出が解除されると（ステップＳ６のＹｅｓルート）、過負荷信号の送出が解除される。過負荷が解消されると、電圧変換回路２１により、出力コンデンサ２２がチャージされる（ステップＳ７）。
【００４４】
一方、電力制御回路３１では、タイマ回路３１ａにより、電圧低下指令タイマが終了時間になるまで計時が行なわれる（ステップＳ８，ステップＳ８のＮｏルート）。電圧低下指令タイマが満了時間になると（ステップＳ８のＹｅｓルート）、電力低下信号送出回路３１ｂにより、処理部３２に対する電圧低下指令の送出が終了され（ステップＳ９）、ステップＳ１に移行する。なお、ステップＳ７における出力コンデンサ２２のチャージは、ステップＳ９が実行されるまで行なわれる。
【００４５】
以上のように、情報処理システム１においては、ステップＳ１〜Ｓ９の処理が繰り返し実行されて、電源制御が行なわれる。
〔１−２−２〕具体的な動作例
次に、図４及び図５を参照して、情報処理システム１の具体的な動作例を説明する。図４は、図２に示す情報処理システム１における電源制御処理の一例を説明する図であり、図５は、図４に示す情報処理システム１における電源制御処理の一例を説明するタイムチャートである。なお、図４では、システムの設計上要求される電源ユニット２０の台数Ｎが２である場合を示す。また、図４では、図の簡略化のため、一部の構成要素の図示を省略している。なお、図４及び図５において、電源ユニット２０−１及び２０−２を、それぞれ電源ユニット＃０及び＃１ともいう。
【００４６】
なお、図４に示す例では、電圧変換回路２１は、ＡＣ（Ｌ）及びＡＣ（Ｎ）からのＡＣ２００Ｖを、ＤＣ＋１２Ｖの直流電圧に変換する。また、システム（負荷ユニット３）の負荷電流は、システムの負荷が最大のとき１４０Ａであり、電源ユニット２０−１及び２０−２は、正常に動作している場合それぞれ電力線１１を介して７０Ａの出力電流を出力する。さらに、過負荷検出回路２３の基準電圧源２３ａには、過負荷検出閾値である基準電圧Ｖｒｅｆとして、出力電流Ｉが７１Ａのときに比較回路２３ｃにより過負荷が検出される電圧が設定される。よって、２つの電源ユニット２０が正常である場合、システムの負荷が最大でも、負荷ユニット２０は過負荷を検出せず、負荷ユニット３ではパワーセービングは実行されない（図５の時間ｔ０参照）。
【００４７】
ここで、システムの負荷が最大の場合に、電源ユニット＃１が故障すると、電源ユニット＃１の出力電流は７０Ａから０Ａとなり、電源ユニット＃０の出力電流は７０Ａから１４０Ａに増加する（図４の（Ｉ）及び（II），図５の時間ｔ１参照）。また、電源ユニット＃０の過負荷検出回路２３では、出力電流Ｉが７１Ａを超えて電圧Ｖｉ＞基準電圧Ｖｒｅｆとなり、比較回路２３ｃが過負荷を検出して、過負荷信号が“Ｈ”（有効）になる（図４の（III），図５の時間ｔ１＋Ｔ１（ｔ１から５μｓ経過後）参照）。
【００４８】
また、電力低下信号送出回路３１ｂは、過負荷信号を受けて処理部３２への電力低下指令が“Ｈ”になる（図４の（IV），図５の時間ｔ１＋Ｔ２（ｔ１から１０μｓ経過後）参照）。電力低下指令は、１０ｍｓ間継続して“Ｈ”に維持される（図５の期間Ｔ４参照）。なお、期間Ｔ４は、タイマ回路３１ａにより計時される所定期間である。
処理部３２は、電力低下指令を受けると、例えば動作周波数を低下させ（図４の（Ｖ）参照）、負荷電流を電源ユニット＃０の供給電流７０Ａに抑える（図４の（VI），図５の時間ｔ１＋Ｔ２〜時間ｔ２参照）。なお、パワーセービングにより、負荷ユニット３の負荷電流が７０Ａに低下するまでに、電源ユニット＃１が故障してから４０μｓ（図５の期間Ｔ３参照）、及び、電力低下指令が送出されてから３０μｓのタイムラグが発生する。
【００４９】
ここで、図５の時間ｔ１〜ｔ２において、電源ユニット＃０の過負荷が検出されている場合、出力コンデンサ２２は、蓄積する電荷を過負荷電流分として、電力制御回路３１からの充放電分に加えて出力する。図５に示す例では、出力コンデンサ２２は、時間ｔ１〜ｔ２において、６０Ａ〜８０Ａ程度の電流を出力する。なお、図５において、出力コンデンサ２２への充電は“＋”の電流、出力コンデンサ２２からの放電は“−”の電流として示している。
【００５０】
また、上述のように、過負荷電流は、電圧変換回路２１から供給することができないため、出力コンデンサ２２に蓄えられた電荷によって供給される。つまり、図５の時間ｔ１〜ｔ２において、電源ユニット＃０からの出力電流は、電圧変換回路２１からの出力電流７０Ａと、出力コンデンサ２２からの放電電流である６０Ａ〜８０Ａと、が加算された電流となる。
【００５１】
なお、出力コンデンサ２２は、電圧変換回路２１からの出力電圧（脈流成分）に応じた電荷の充電と蓄積する電荷の放電とを交互に繰り返すことで供給電源を発生させる。出力コンデンサ２２が定常状態である場合には、放電時間＝充電時間となる（例えば図５の時間ｔ１〜ｔ２参照）。図５の時間ｔ２において、処理部３２がパワーセービングを実行すると、時間ｔ２〜ｔ４の間（所定期間中）において、電圧変換回路２１からの出力コンデンサ２２への充放電電流は、供給電源を出力する放電時間よりも電荷を蓄積する充電時間の方が長くなり、出力コンデンサ２２に電荷がチャージされる。
【００５２】
図５の時間ｔ４において、タイマ回路３１ａが満了して電力低下信号が“Ｌ”（無効）となった場合、処理部３２はパワーセービングを終了する。しかし、システムの稼働状況によっては、パワーセービング終了後も負荷電流が７０Ａを超えない場合がある。
ところで、電源システム（電源装置２）の供給電力は、システムの負荷電力以上であって、且つマージンを見込んで設計される。また、システム（負荷ユニット３）は、電源システム（電源装置２）の定格電力の７０％程度の負荷電力で使用されることが多い。さらに、サーバ装置等の情報処理システム１の実運用において、ＩＯ等のオプション構成がフル搭載されることは少なく、搭載されない構成の消費電力分、システムの負荷電力は低下する。また、ＣＰＵは、常時稼働率１００％で使用されることは少なく、通常は３０％程度で動作する。
【００５３】
以上の点を考慮すると、負荷ユニット３は、電源装置２の定格電力の３０％〜７０％程度の負荷電力で使用されると考えられる。
従って、例えば、システムの負荷が中間程度のとき、電源ユニット＃１が故障してもシステムの負荷電流が電源ユニット＃０の過負荷検出閾値７１Ａを超えなければ、電源ユニット２０は過負荷信号を送信せず、電力低下信号送出回路３１ｂは電力低下信号を送信しない。従って、処理部３２はパワーセービングを実行しない（図５の時間ｔ４〜ｔ６参照）。
【００５４】
一方、図５の時間ｔ６において、負荷ユニット３（処理部３２）の負荷電流が増加すると、時間ｔ１〜ｔ２と同様に、電源ユニット＃０が過負荷信号を“Ｈ”にし（時間ｔ６＋Ｔ１参照）、電力低下信号送出回路３１ｂは電力低下指令を“Ｈ”にする（時間ｔ６＋Ｔ２参照）。また、時間ｔ７〜ｔ８において、時間ｔ６〜ｔ７の期間Ｔ３において消費された出力コンデンサ２２の電荷がチャージされる。
【００５５】
以上のように、本実施形態の電源装置２によれば、過負荷検出回路２３により、出力コンデンサ２２の過負荷が検出された場合に、負荷ユニット３に対して、消費電力の抑制を要求する過負荷信号が通知される。従って、複数の電源ユニット２０のうちの一部が故障したとしても、システムの負荷電力が稼働中の電源ユニット２０の供給電力を超えなければ（過負荷が検出されなければ）、システムのパワーセービングの要求が行なわれない。
【００５６】
図６に示す情報処理システム１００と対比すると、負荷ユニット３００の電力低下指令は、故障した電源ユニット２００が正常な電源ユニット２００と交換されるまで継続して送出される。また、実運用でのシステムの負荷電力は、電源ユニット２００の供給電力の３０〜７０％程度で動作する。つまり、システムの稼働状態によっては、パワーセービングが不要な状態でも、電源ユニット２００の故障により、パワーセービングが実行されてしまう。
【００５７】
このように、図６に示す情報処理システム１００において、電源ユニット２００が故障すると、システムのパフォーマンスは落ち続けることになる。従って、情報処理システム１００は、サーバ装置等として実際に運用される観点において非効率な制御である。
これに対して、本実施形態に係る電源装置２においては、システムの負荷電力が稼働中の電源ユニット２０の供給電力を超えなければ、パワーセービングの要求が行なわれない。従って、システムのパフォーマンスを可能な限り有効活用して、システムの性能を可能な限り高い状態に維持することができる。
【００５８】
また、一部の電源ユニット２０が故障後に未交換（実装）であっても、残りの電源ユニット２０により過負荷が検出されると、負荷ユニット３へパワーセービングが要求される。従って、残りの電源ユニット２０において連続した過負荷を発生させないようにすることができる。
さらに、本実施形態に係る負荷ユニット３によれば、電力低下信号送出部３１ｂにより、過負荷信号を通知されてからタイマ回路３１ａが満了するまでの間、処理部３２に対して、消費電力の抑制を指示する電力低下信号が送出される。従って、タイマ回路３１ａが計時する所定期間、出力コンデンサ２２が放電した電荷をチャージする時間を確保でき、電源ユニット２０は、電力低下信号終了後の負荷電流増加による過負荷に備えることができる。また、タイマ回路３１ａが満了すると、電圧低下信号の送出が停止するため、処理部３２によるパワーセービングの実行が解除される。従って、システムの性能を可能な限り高い状態に維持することができる。
【００５９】
また、本実施形態に係る情報処理システム１によれば、電源ユニット２０を、冗長構成としていた従来のＮ＋１台ではなく、Ｎ台で構成でき、電源ユニット２０の台数および実装面積を減らすことができる。
〔２〕その他
以上、本発明の好ましい実施形態及び変形例について詳述したが、本発明は、係る特定の実施形態又は変形例に限定されるものではなく、本発明の趣旨を逸脱しない範囲内において、種々の変形、変更して実施することができる。
【００６０】
例えば、上述した電源ユニット２０の各回路は、任意の組合せで分離又は併合しても良い。
一例として、過負荷検出回路２３（比較回路２３ｃ）による負荷ユニット３へ過負荷信号を送出する機能を、過負荷検出回路２３の外部の回路に持たせても良い。つまり、過負荷検出回路２３は、電源ユニット２０の過負荷を検出した場合、図示しない回路（通知回路）へ過負荷を検出したことを示す信号を送出し、通知回路が、過負荷信号を負荷ユニット３へ送出することとしても良い。
【００６１】
〔３〕付記
以上の実施形態及び変形例に関し、更に以下の付記を開示する。
（付記１）
電源を供給する電源ユニットを複数備えた電源装置であって、
前記電源ユニットの各々は、
入力電圧を一定の電圧範囲の出力電圧に変換する電圧変換回路と、
前記電圧変換回路が変換した電圧に応じた電荷を蓄積するとともに、供給電源を出力する出力コンデンサと、
前記出力コンデンサの過負荷を検出するとともに、前記過負荷を検出した場合に、前記電源装置から供給される供給電源を用いて動作する装置に対して、消費電力の抑制を要求する過負荷信号を通知する過負荷検出回路と、
を有することを特徴とする、電源装置。
【００６２】
（付記２）
前記過負荷検出回路は、前記装置からの出力電流が所定の閾値を超えた場合に、前記過負荷を検出するとともに、前記装置に対して過負荷信号を通知することを特徴とする、付記１記載の電源装置。
（付記３）
前記過負荷検出回路は、
前記所定の閾値を示す基準電圧を出力する電圧源と、
前記装置からの出力電流に応じた電圧を発生させる抵抗と、
前記基準電圧と前記抵抗により発生した電圧とを入力され、前記抵抗により発生した電圧が前記基準電圧を超えると、前記過負荷信号を出力する比較回路と、
を有することを特徴とする、付記２記載の電源装置。
【００６３】
（付記４）
前記過負荷検出回路により前記過負荷が検出され、前記装置に対して前記過負荷信号が通知された後、前記装置において前記消費電力の抑制が行なわれる所定期間中において、前記電圧変換回路が変換した電圧に応じた電荷を前記出力コンデンサに蓄積する時間は、前記供給電源を出力する時間よりも長いことを特徴とする、付記１〜３のいずれか１項記載の電源装置。
【００６４】
（付記５）
前記過負荷検出回路は、前記過負荷を検出している間、前記装置に対して、前記過負荷信号を継続して通知し、前記過負荷を検出しなくなると、前記過負荷信号の通知を抑止することを特徴とする、付記１〜４のいずれか１項記載の電源装置。
（付記６）
電源を供給する電源ユニットを複数備えた電源装置から供給される供給電源を用いて動作する処理部と、
前記複数の電源ユニットのうちの少なくとも１つの電源ユニットから、前記電源ユニットの過負荷を示す過負荷信号を通知されると、所定期間の計時を行なうタイマ回路と、
前記過負荷信号を通知されてから前記タイマ回路が満了するまでの間、前記処理部に対して、消費電力の抑制を指示する電力低下信号を送出する電力低下信号送出部と、
を有することを特徴とする、処理装置。
【００６５】
（付記７）
前記所定期間は、前記電源ユニットが有するコンデンサであって、入力される電圧に応じた電荷を蓄積するとともに前記電源ユニットからの供給電源を出力する出力コンデンサの特性に応じて決定されることを特徴とする、付記６記載の処理装置。
（付記８）
前記電力低下信号送出部は、前記過負荷信号を通知されてから前記タイマ回路が満了するまでの間、前記処理部に対して、前記電力低下信号を継続して送出し、
前記処理部は、前記電力低下信号が入力される間、消費電力を抑制することを特徴とする、付記６又は付記７記載の処理装置。
【００６６】
（付記９）
前記電力低下信号は、前記処理部に対して、故障した電源ユニットから供給される供給電力分の消費電力の抑制を指示する信号であり、
前記処理部は、前記電力低下信号が入力される間、消費電力を、前記故障した電源ユニット以外の他の電源ユニットが供給する供給電力まで低下させることを特徴とする、付記６〜８のいずれか１項記載の処理装置。
【００６７】
（付記１０）
電源を供給する電源ユニットを複数備えた電源装置と、前記電源装置から供給される供給電源を用いて動作する処理装置と、を有する情報処理システムであって、
前記電源ユニットの各々は、
入力電圧を一定の電圧範囲の出力電圧に変換する電圧変換回路と、
前記電圧変換回路が変換した電圧に応じた電荷を蓄積するとともに、供給電源を出力する出力コンデンサと、
前記出力コンデンサの過負荷を検出するとともに、前記過負荷を検出した場合に、前記装置に対して、消費電力の抑制を要求する過負荷信号を通知する過負荷検出回路と、を有し、
前記処理装置は、
前記電源装置から供給される供給電源を用いて動作する処理部と、
前記複数の電源ユニットのうちの少なくとも１つの電源ユニットから、前記過負荷信号を通知されると、所定期間の計時を行なうタイマ回路と、
前記過負荷信号を通知されてから前記タイマ回路が満了するまでの間、前記処理部に対して、消費電力の抑制を指示する電力低下信号を送出する電力低下信号送出部と、
を有することを特徴とする、情報処理システム。
【００６８】
（付記１１）
前記過負荷検出回路は、前記処理装置からの出力電流が所定の閾値を超えた場合に、前記過負荷を検出するとともに、前記処理装置に対して過負荷信号を通知することを特徴とする、付記１０記載の情報処理システム。
（付記１２）
前記所定期間は、前記出力コンデンサの特性に応じて決定されることを特徴とする、付記１０又は付記１１記載の情報処理システム。
【００６９】
（付記１３）
前記電力低下信号送出部は、前記過負荷信号を通知されてから前記タイマ回路が満了するまでの間、前記処理部に対して、前記電力低下信号を継続して送出し、
前記処理部は、前記電力低下信号が入力される間、消費電力を抑制することを特徴とする、付記１０〜１２のいずれか１項記載の情報処理システム。
【００７０】
（付記１４）
前記電源装置は、Ｎ（Ｎは２以上の整数）台の前記電源ユニットを備え、
前記電力低下信号は、前記処理部に対して、故障した電源ユニットから供給される供給電力分の消費電力の抑制を指示する信号であり、
前記処理部は、前記電力低下信号が入力される間、消費電力を、前記故障した電源ユニット以外のＮ−１台の電源ユニットが供給する供給電力まで低下させることを特徴とする、付記１０〜１３のいずれか１項記載の情報処理システム。
【００７１】
（付記１５）
前記電源ユニットの各々は、
前記電源ユニットの故障を検出するとともに、前記故障を検出した場合に、前記処理装置に対して、故障が発生したことを示す故障信号を通知する故障検出回路をさらに有し、
前記処理部は、前記故障信号を通知した電源ユニットの情報に基づいて、抑制する消費電力を決定することを特徴とする、付記１４記載の情報処理システム。
【００７２】
（付記１６）
電源を供給する電源ユニットを複数備えた電源装置と、前記電源装置から供給される供給電源を用いて動作する処理装置と、を有する情報処理システムにおける電源制御方法であって、
前記電源ユニットの各々は、
入力電圧を一定の電圧範囲の出力電圧に変換し、
出力コンデンサにより、前記出力電圧に応じた電荷を蓄積するとともに、供給電源を出力し、
前記出力コンデンサの過負荷を検出するとともに、前記過負荷を検出した場合に、前記処理装置に対して、消費電力の抑制を要求する過負荷信号を通知し、
前記処理装置は、
前記複数の電源ユニットのうちの少なくとも１つの電源ユニットから、前記過負荷信号を通知されると、所定期間の計時を行ない、
前記過負荷信号を通知されてから前記所定期間の計時が満了するまでの間、前記電源装置から供給される供給電源を用いて動作する処理部に対して、消費電力の抑制を指示する電力低下信号を送出する、
ことを特徴とする、電源制御方法。
【００７３】
（付記１７）
前記過負荷信号の通知において、前記処理装置からの出力電流が所定の閾値を超えた場合に、前記過負荷を検出するとともに、前記処理装置に対して過負荷信号を通知することを特徴とする、付記１６記載の電源制御方法。
（付記１８）
前記所定期間は、前記出力コンデンサの特性に応じて決定されることを特徴とする、付記１６又は付記１７記載の電源制御方法。
【００７４】
（付記１９）
前記電力低下信号の送出において、前記過負荷信号を通知されてから前記所定期間の計時が満了するまでの間、前記処理部に対して、前記電力低下信号を継続して送出し、
前記処理部により、前記電力低下信号が入力される間、消費電力が抑制されることを特徴とする、付記１６〜１８のいずれか１項記載の電源制御方法。
【００７５】
（付記２０）
処理部と、
電力制御回路と、を有し、
前記処理部は、
電源を供給する電源ユニットを複数備えた電源装置から供給される供給電源を用いて動作し、
前記電源制御回路は、
前記複数の電源ユニットのうちの少なくとも１つの電源ユニットから、前記電源ユニットの過負荷を示す過負荷信号を通知されると、所定期間の計時を行ない、
前記過負荷信号を通知されてから前記所定期間の計時が満了するまでの間、前記処理部に対して、消費電力の抑制を指示する電力低下信号を送出する、
ことを特徴とする、処理装置。
【符号の説明】
【００７６】
１，１００    情報処理システム
１０〜１２，１１０，１２０    電力線
１３−１，１３−２，１４−１，１４−２，１５    制御線
１３０−１，１３０−２，１４０−１，１４０−２，１５０    制御線
２    電源装置
２０，２０−１〜２０−Ｎ，２００，２００−１〜２００−Ｎ    電源ユニット
２１，２１０    電圧変換回路
２２，２２０    出力コンデンサ
２３    過負荷検出回路
２３ａ    基準電圧源（電圧源）
２３ｂ    出力電流検出抵抗（抵抗）
２３ｃ    比較回路
２４    故障検出回路
２４ａ，２４０    故障信号送出回路
２４ｂ    出力過電圧検出回路
２４ｃ    出力低電圧検出回路
２４ｄ    過熱検出回路
２４１    異常検出回路
３    負荷ユニット（装置，処理装置）
３１    電力制御回路
３１ａ    タイマ回路
３１ｂ，３１０    電力低下信号送出回路
３２，３２０    処理部
【図１】
2014029578.tif 000003
【図２】
2014029578.tif 000004
【図３】
2014029578.tif 000005
【図４】
2014029578.tif 000006
【図５】
2014029578.tif 000007
【図６】
2014029578.tif 000008